(57)【要約】【課題】Ｘ線照射禁止状態の場合にＸ線照射用の許可ボタンの位置を分かり易くできるＸ線撮影装置を提供する。【解決手段】Ｘ線撮影装置１において、Ｘ線照射用の許可ボタン２７は、操作ボタン群２５と個別に操作パネル１７に設けられ、Ｘ線管からのＸ線照射を禁止する禁止状態とＸ線管からのＸ線照射を許可する許可状態とを切り替えるものであるが、許可ボタン２７は、禁止状態の場合に、操作ボタン群２５が有する共通の視覚的特徴と異なる視覚的特徴を有している。これにより、許可ボタン２７の位置を強調してユーザに知らせることができる。その結果、初めて操作する場合、または操作に慣れていない場合であっても、Ｘ線照射禁止状態の場合に許可ボタン２７の位置が分かり易くなる。【選択図】図１
2018183349.tif 000002
【特許請求の範囲】
【請求項１】
被検体にＸ線を照射するＸ線源と、
被検体を透過したＸ線を検出するＸ線検出器と、
操作パネルに設けられた操作スイッチ群と、
前記操作スイッチ群と個別に前記操作パネルに設けられ、前記Ｘ線源からのＸ線照射を禁止する禁止状態と前記Ｘ線源からのＸ線照射を許可する許可状態とを切り替えるＸ線照射用の許可スイッチであって、前記禁止状態の場合に、前記操作スイッチ群が有する共通の視覚的特徴と異なる視覚的特徴を有する前記許可スイッチと、を備えていることを特徴とするＸ線撮影装置。
【請求項２】
請求項１に記載のＸ線撮影装置において、
前記操作スイッチ群は、点灯および消灯のいずれかであり、
前記許可スイッチは、前記禁止状態の場合に点滅し、前記許可状態の場合には、前記点滅に代えて点灯することを特徴とするＸ線撮影装置。
【請求項３】
請求項１に記載のＸ線撮影装置において、
前記操作スイッチ群は、消灯しており、
前記許可スイッチは、前記禁止状態の場合に第１の色で点灯し、前記許可状態の場合には、前記第１の色の点灯に代えて第２の色で点灯することを特徴とするＸ線撮影装置。
【請求項４】
請求項１から３のいずれかに記載のＸ線撮影装置において、
前記許可スイッチは、電灯ユニットを備えていることを特徴とするＸ線撮影装置。
【請求項５】
請求項１から３のいずれかに記載のＸ線撮影装置において、
タッチパネル背面に設けられた表示部を更に備え、
前記表示部の画面には、前記操作スイッチ群および前記許可スイッチが表示されることを特徴とするＸ線撮影装置。
【請求項６】
請求項５に記載のＸ線撮影装置において、
前記禁止状態の場合、前記表示部の画面に表示された前記許可スイッチ上またはその外周には、前記許可スイッチの位置を示す指標図形が表示されることを特徴とするＸ線撮影装置。
【発明の詳細な説明】
【技術分野】
【０００１】
本発明は、Ｘ線を用いてＸ線画像を取得するＸ線撮影装置に関する。
【背景技術】
【０００２】
従来のＸ線撮影装置は、被検体にＸ線を照射するＸ線管と、被検体を透過したＸ線を検出するＸ線検出器と、ユーザ（操作者）からの入力操作を受け付ける操作部と、入力操作に従い、Ｘ線を照射させるための制御を行う制御部とを備えている（例えば、特許文献１参照）。
【０００３】
操作部は、Ｘ線照射実行ボタン（以下適宜、「実行ボタン」とする）と、Ｘ線照射許可ボタン（以下適宜、「許可ボタン」とする）とを備えている。実行ボタンは、Ｘ線照射の実行を指示するためのものである。一方、許可ボタンは、ユーザの意図しないＸ線照射を防ぐためのものである。許可ボタンを押下してＸ線照射許可状態（以下適宜、「許可状態」とする）になると、実行ボタンによりユーザはＸ線照射を行うことができる。また、この許可状態のときに許可ボタンを再び押下すると、Ｘ線照射禁止状態（以下適宜、「禁止状態」とする）になる。禁止状態になると、ユーザが実行ボタンを操作してもＸ線照射を行うことができない。
【０００４】
また、従来のＸ線撮影装置において、許可ボタンは電灯を備えている。禁止状態のときは電灯が消灯し、そして、許可状態になると、電灯が連続して点灯する。
【先行技術文献】
【特許文献】
【０００５】
【特許文献１】特開２０１５−００９０１２号公報
【発明の概要】
【発明が解決しようとする課題】
【０００６】
従来のＸ線撮影装置の操作ボタンの各々には、絵文字が付されており、一応区別されている。しかしながら、そのように区別されていても分かり難い場合がある。例えば、Ｘ線撮影装置の電源をＯＮにしてＸ線撮影装置を立ち上げた場合は、禁止状態であり、許可ボタンの電灯が消灯している。そのため、Ｘ線撮影装置を初めて操作する場合、または操作に慣れていない場合は、許可ボタンの位置が分かり難い。
【０００７】
本発明は、このような事情に鑑みてなされたものであって、Ｘ線照射禁止状態の場合にＸ線照射用の許可ボタンの位置を分かり易くできるＸ線撮影装置を提供することを目的とする。
【課題を解決するための手段】
【０００８】
本発明は、このような目的を達成するために、次のような構成をとる。すなわち、本発明に係るＸ線撮影装置は、被検体にＸ線を照射するＸ線源と、被検体を透過したＸ線を検出するＸ線検出器と、操作パネルに設けられた操作スイッチ群と、前記操作スイッチ群と個別に前記操作パネルに設けられ、前記Ｘ線源からのＸ線照射を禁止する禁止状態と前記Ｘ線源からのＸ線照射を許可する許可状態とを切り替えるＸ線照射用の許可スイッチであって、前記禁止状態の場合に、前記操作スイッチ群が有する共通の視覚的特徴と異なる視覚的特徴を有する前記許可スイッチと、を備えていることを特徴とするものである。
【０００９】
本発明に係るＸ線撮影装置によれば、Ｘ線照射用の許可スイッチは、操作スイッチ群と個別に操作パネルに設けられ、Ｘ線源からのＸ線照射を禁止する禁止状態とＸ線源からのＸ線照射を許可する許可状態とを切り替えるものであるが、許可スイッチは、禁止状態の場合に、操作スイッチ群が有する共通の視覚的特徴と異なる視覚的特徴を有している。これにより、許可スイッチの位置を強調してユーザに知らせることができる。その結果、初めて操作する場合、または操作に慣れていない場合であっても、Ｘ線照射禁止状態の場合に許可スイッチの位置が分かり易くなる。また、許可スイッチの位置が強調されるので、押し間違いを抑制できる。
【００１０】
また、上述のＸ線撮影装置において、前記操作スイッチ群は、点灯および消灯のいずれかであり、前記許可スイッチは、前記禁止状態の場合に点滅し、前記許可状態の場合には、前記点滅に代えて点灯することが好ましい。禁止状態の場合に許可スイッチが点滅することで、許可スイッチの位置を強調してユーザに知らせることができる。また、禁止状態と許可状態とで許可スイッチの表示動作を変更しているので、禁止状態であるのか許可状態であるのかをユーザは認識することができる。
【００１１】
また、上述のＸ線撮影装置において、前記操作スイッチ群は、消灯しており、前記許可スイッチは、前記禁止状態の場合に第１の色で点灯し、前記許可状態の場合には、前記第１の色の点灯に代えて第２の色で点灯することが好ましい。禁止状態の場合に許可スイッチが第１の色で点灯することで、許可スイッチの位置を強調してユーザに知らせることができる。また、禁止状態と許可状態とで許可スイッチの表示色を変更しているので、禁止状態であるのか許可状態であるのかをユーザは認識することができる。
【００１２】
また、上述のＸ線撮影装置において、前記許可スイッチは、電灯ユニットを備えていることが好ましい。禁止状態の場合に、電灯ユニットにより、許可スイッチの位置を強調してユーザに知らせることができる。
【００１３】
また、上述のＸ線撮影装置は、タッチパネル背面に設けられた表示部を更に備え、前記表示部の画面には、前記操作スイッチ群および前記許可スイッチが表示されることが好ましい。表示部の画面に表示された許可スイッチは、禁止状態の場合に、操作スイッチ群が有する共通の視覚的特徴と異なる視覚的特徴を有している。これにより、許可スイッチの位置を強調してユーザに知らせることができる。
【００１４】
また、上述のＸ線撮影装置において、前記禁止状態の場合、前記表示部の画面に表示された前記許可スイッチ上またはその外周には、前記許可スイッチの位置を示す指標図形が表示されることが好ましい。禁止状態の場合に許可スイッチ上またはその外周に、許可スイッチの位置を示す指標図形が表示されることで、許可スイッチの位置を強調してユーザに知らせることができる。
【発明の効果】
【００１５】
本発明に係るＸ線撮影装置によれば、許可スイッチは、禁止状態の場合に、操作スイッチ群が有する共通の視覚的特徴と異なる視覚的特徴を有している。これにより、許可スイッチの位置を強調してユーザに知らせることができる。その結果、初めて操作する場合、または操作に慣れていない場合であっても、Ｘ線照射禁止状態の場合に許可スイッチの位置が分かり易くなる。
【図面の簡単な説明】
【００１６】
【図１】実施例１に係るＸ線撮影装置の概略構成図である。
【図２】実施例１に係る操作パネルの一例を示す図である。
【図３】（ａ）、（ｂ）は、電灯ユニットの配置を説明するための図である。
【図４】実施例１に係るＸ線照射許可ボタンの電灯ユニットの動作を説明するための図である。
【図５】実施例２に係るＸ線照射許可ボタンの電灯ユニットの動作を説明するための図である。
【図６】実施例３に係る操作パネルの一例を示す図である。
【図７】実施例３に係る点滅動作を説明するための図である。
【図８】（ａ）〜（ｅ）は、実施例４に係る指標図形または指標文字の一例を示す図である。
【実施例１】
【００１７】
以下、図面を参照して本発明の実施例１を説明する。図１は、実施例１に係るＸ線撮影装置の概略構成図である。
【００１８】
＜Ｘ線撮影装置１の構成＞
図１を参照する。Ｘ線撮影装置１は、Ｘ線管２、Ｘ線管制御部３、Ｘ線検出器４、Ｃアーム５、天板６、アーム回転移動機構７を備えている。Ｘ線管２は、天板６上に載置された被検体Ｍに向けてＸ線を照射する。Ｘ線管２は、Ｘ線管制御部３により制御される。Ｘ線管２は、本発明のＸ線源に相当する。Ｘ線管制御部３は、Ｘ線制御回路（図示しない）と高電圧発生部３ａとを備えており、予め設定された管電圧および管電流をＸ線管２に供給する。
【００１９】
Ｘ線検出器４は、Ｘ線管２と対向して配置され、被検体Ｍを透過したＸ線を検出する。Ｘ線検出器４は、例えば、フラットパネル型Ｘ線検出器（ＦＰＤ）、あるいはイメージインテンシファイアおよびカメラで構成されている。なお、Ｘ線検出器４で撮影した画像は、図示しない画像処理部によって各種の補正などの必要な画像処理が行われる。
【００２０】
Ｘ線管２およびＸ線検出器４は、対向配置された状態でＣアーム５により支持されている。Ｃアーム５は、アーム回転移動機構７により移動および回転されるように構成されている。アーム回転移動機構７は、スライド機構９、回転機構１０および上下前後移動機構１１を備えている。
【００２１】
スライド機構９は、矢印Ｑのように、Ｃアーム５のＣ形状に沿ってＣアーム５をスライドする。これにより、Ｘ線管２およびＸ線検出器４は第１軸ＡＸ１周りに回転する。回転機構１０は、スライド機構９を第２軸ＡＸ２周りに回転する。これにより、Ｘ線管２およびＸ線検出器４は第２軸ＡＸ２周りに回転する。上下前後移動機構１１は、回転機構１０を上下方向（Ｚ方向）および前後方向（Ｘ方向）に移動する。これにより、Ｘ線管２およびＸ線検出器４は上下方向（Ｚ方向）および前後方向（Ｘ方向）に移動する。スライド機構９、回転機構１０および上下前後移動機構１１は、電動モータを備えている。
【００２２】
Ｘ線撮影装置１は、更に、主制御部１５、外部表示部１６、操作パネル１７および記憶部１８を備えている。主制御部１５は、中央演算処理装置（ＣＰＵ）を備えている。主制御部１５は、Ｘ線管制御部３、Ｘ線検出器４、アーム回転移動機構７（スライド機構９、回転機構１０および上下前後移動機構１１）、後述する操作パネル表示部２１などの各構成を制御する。外部表示部１６は、液晶ディスプレイ（ＬＣＤ）等で構成されている。操作パネル１７の構成は後述する。記憶部１８は、ＲＯＭ（Read-only Memory）、ＲＡＭ（Random-Access Memory）またはハードディスク等で構成されている。記憶部１８は、Ｘ線撮影装置１の動作に必要なプログラムなどを記憶する。
【００２３】
Ｘ線撮影装置１は、移動型であり、台車１９を備えている。台車１９は、上下前後移動機構１１を支持し、上下前後移動機構１１等を通じて、Ｘ線管２およびＸ線検出器４を支持している。また、台車１９には、Ｘ線管制御部３、主制御部１５、操作パネル１７および記憶部１８等が搭載されている。操作パネル１７は、台車１９の表面でかつ、例えば矢印Ｐで示す位置に設けられている。なお、本実施例において、Ｘ線撮影装置１は移動型であるが、移動型でなくてもよい。
【００２４】
〔操作パネル１７の構成〕
次に、操作パネル１７の構成を説明する。図１には、操作パネル１７のブロック図が示されている。図２は、操作パネル１７の一例を示す図である。操作パネル１７は、操作パネル表示部２１、タッチパネル２３、操作ボタン群２５およびＸ線照射許可ボタン２７を備えている。なお、図１において、操作ボタン群２５として、３つの各操作ボタン２５ａ〜２５ｃを示すが、操作ボタンは３つに限定されない。操作ボタン群２５は、本発明の操作スイッチ群に相当し、Ｘ線照射許可ボタン２７は、本発明の許可スイッチに相当する。
【００２５】
操作パネル表示部２１は、例えば液晶ディスプレイまたは有機ＥＬディスプレイで構成されている。タッチパネル２３は、操作パネル表示部２１に対応して設けられ、操作パネル表示部２１の前面に設けられている。タッチパネル２３は、抵抗膜方式などの検出方式で構成されている。操作パネル１７に設けられた操作ボタン群２５は、Ｘ線照射実行ボタン２９を含む複数の操作ボタンを備えている。操作ボタン群２５の各操作ボタンは、例えばタクタイルスイッチまたはプッシュスイッチと呼ばれる物理的スイッチ（機械的スイッチ）を備えて構成されている。実行ボタン２９は、Ｘ線管２からのＸ線照射の実行を指示するものである。図２では、実行ボタン２９は、２つ設けられており、いずれか一方を押すことでＸ線照射が実行される。
【００２６】
許可ボタン２７は、操作ボタン群２５と個別に操作パネル１７に設けられている。許可ボタン２７は、Ｘ線管２からのＸ線照射を禁止するＸ線照射禁止状態とＸ線管２からのＸ線照射を許可するＸ線照射許可状態とを切り替えるものである。許可ボタン２７は、図１のように、許可ボタン本体２７ａ、電灯制御回路２７ｂおよび電灯ユニット２７ｃを備えている。許可ボタン本体２７ａは、例えばタクタイルスイッチまたはプッシュスイッチと呼ばれる物理的スイッチで構成されている。電灯制御回路２７ｂは、許可ボタン本体２７ａの操作情報に基づき、電灯ユニット２７ｃを制御する。電灯制御回路２７ｂは、ＣＰＵを備えて、または、ＣＰＵを備えずに構成されている。電灯ユニット２７ｃは、１つの電灯を備えている。電灯として、例えば、発光ダイオード（ＬＥＤ）、電球、ＥＬ照明が用いられる。なお、操作ボタン群２５は、許可ボタン２７のような電灯ユニットを備えていない。
【００２７】
図３（ａ）、図３（ｂ）は、電灯ユニット２７ｃの配置を説明するための図である。なお、図３（ａ）において、錠の絵文字を省略している。電灯ユニット２７ｃは、図３（ａ）のように、許可ボタン２７を押すための円形領域２７ｄの内側で発光するように内蔵している。また、電灯ユニット２７ｃは、図３（ｂ）のように、円形領域２７ｄの外側（外周）で発光するように設けられていてもよい。
【００２８】
許可ボタン２７は、禁止状態の場合に、操作ボタン群２５が有する共通の視覚的特徴と異なる視覚的特徴を有する。本実施例において、許可ボタン２７は、電灯ユニット２７ｃにより、禁止状態の場合に点滅する。また、許可ボタン２７は、電灯ユニット２７ｃにより、許可状態の場合には、点滅に代えて連続して点灯する。このとき、操作ボタン群２５は、電灯ユニットを備えていないので、消灯していると見なされる。なお、操作ボタン群２５が有する共通の視覚的特徴とは、例えば、操作ボタンの色がほぼ同じであったり、同じ色の文字や絵文字が印刷されていたり、点滅していなかったり（消灯および点灯のいずれかであったり）することをいう。
【００２９】
＜Ｘ線撮影装置１の動作＞
次に、Ｘ線撮影装置１の動作について説明する。図４は、許可ボタン２７の電灯ユニット２７ｃの動作を説明するための図である。
【００３０】
Ｘ線撮影装置１は、例えば、電源がＯＮにされて装置１が起動され、Ｘ線管２からのＸ線照射を禁止する禁止状態となっている。従来であれば、禁止状態の場合、許可ボタン２７の電灯ユニット２７ｃは、消灯している。また、一方で、操作ボタンの各々には、絵文字が付されており、一応区別されている。しかしながら、そのように区別されていても、Ｘ線撮影装置１を初めて操作する場合、または操作に慣れていない場合は、許可ボタン２７の位置が分かり難い問題が生じている。そこで、許可ボタン２７は、禁止状態の場合に点滅する。また、許可ボタン２７は、許可状態の場合には、点滅に代えて点灯する。
【００３１】
具体的に説明する。Ｘ線照射許可ボタン２７は、電灯ユニット２７ｃを備えている。許可ボタン２７は、電灯ユニット２７ｃにより、禁止状態の場合に視覚的特徴として点滅する（図４のステップＳ０１参照）。点滅制御は、電灯制御回路２７ｂにより行われる。電灯制御回路２７ｂは、電灯ユニット２７ｃの１つの電灯を点滅させる。これにより、許可ボタン２７が点滅する。Ｘ線撮影装置１が禁止状態の場合、Ｘ線照射実行ボタン２９を押しても、Ｘ線管２からＸ線が照射されない。なお、本実施例の点滅は、点灯と消灯とを交互に行うものであるが、点滅の速度を変えることで連続点灯させた電灯の輝度調整を行うためのものではない。
【００３２】
許可ボタン２７の操作により、禁止状態と許可状態とが切り替えられる。禁止状態において、点滅している許可ボタン２７が押されると、禁止状態から許可状態に変更される。許可ボタン２７は、許可状態の場合、許可ボタン２７の点滅に代えて、連続して点灯する（図４のステップＳ０２参照）。電灯制御回路２７ｂは、許可ボタン２７が押されたことを示す操作情報（信号）に基づき、電灯ユニット２７ｃの１つの電灯を点灯させる。これにより、許可ボタン２７が点灯する。禁止状態の点滅に対し、許可状態の場合に点灯することで、禁止状態であるのか許可状態であるのかを認識することができる。
【００３３】
なお、許可ボタン２７が押されたことを示す操作情報は、電灯制御回路２７ｂだけでなく、主制御部１５にも送られる。その操作情報に基づき、主制御部１５は、Ｘ線撮影装置１が禁止状態であれば許可状態に変更し、また、Ｘ線撮影装置１が禁止状態であれば許可状態に変更する。
【００３４】
ここで、Ｘ線画像を取得する動作について説明する。図１に示す天板６には、被検体Ｍが載置されている。許可ボタン２７が点灯しており、ユーザは、許可状態であることを認識する。許可状態の場合、実行ボタン２９を押すと、Ｘ線管２からＸ線が照射される。すなわち、実行ボタン２９を押すと、実行ボタン２９が押されたことを示す操作情報は、主制御部１５を通じて、Ｘ線管制御部３に送られる。Ｘ線管制御部３は、必要な管電圧および管電流をＸ線管２に供給して、Ｘ線管２からＸ線を照射させる。Ｘ線管２から照射されて被検体Ｍを透過したＸ線は、Ｘ線検出器４で検出される。Ｘ線検出器４は、検出したＸ線量に応じたＸ線画像を出力する。出力されたＸ線画像は、図示しない画像処理部または主制御部１５により、階調変換などの必要な処理が行われる。そして、Ｘ線画像は、外部表示部１６および操作パネル表示部２１に表示され、また、記憶部１８に記憶される。
【００３５】
許可状態において、点灯している許可ボタン２７が押されると、許可状態から禁止状態に変更される。禁止状態の場合、許可ボタン２７は点滅する（図４のステップＳ０３参照）。そして、許可ボタン２７が押される度に禁止状態と許可状態とが交互に変更される（図４のステップＳ０１〜Ｓ０４参照）。
【００３６】
なお、本実施例において、操作ボタン群２５は、電灯ユニットを備えておらず点灯しない。これに対し、許可ボタン２７は、電灯ユニット２７ｃを備えて点滅する。点滅は、操作ボタン群２５の各操作ボタンに付された絵文字よりも強調レベルが高い。そのため、ユーザは、許可ボタン２７が操作ボタン群２５の中に配置されていても、許可ボタン２７の位置が分かり易くなる。
【００３７】
本実施例によれば、Ｘ線照射用の許可ボタン２７は、操作ボタン群２５と個別に操作パネル１７に設けられ、Ｘ線管２からのＸ線照射を禁止する禁止状態とＸ線管２からのＸ線照射を許可する許可状態とを切り替えるものであるが、許可ボタン２７は、禁止状態の場合に、操作ボタン群２５が有する共通の視覚的特徴と異なる視覚的特徴を有している。本実施例において、許可ボタン２７は、電灯ユニット２７ｃを備え、電灯ユニット２７ｃにより、禁止状態の場合に点滅する。これにより、許可ボタン２７の位置を強調してユーザに知らせることができる。その結果、初めて操作する場合、または操作に慣れていない場合であっても、禁止状態の場合に許可ボタン２７の位置が分かり易くなる。
【００３８】
また、許可ボタン２７は、押し易い位置に設けられていると、Ｘ線の誤爆などの誤操作につながる可能性があるので、比較的に押しにくい位置、例えば、他の操作ボタン群２５が配置されている位置に配置される。このような位置に配置されていると、一目で許可ボタン２７を見つけることができないので、許可ボタン２７を探す手間が増える。更に、他の操作ボタン群２５が密集している場合や操作パネル表示部２１がある場合は、その中から許可ボタン２７を見つけ出す必要があり、より一層煩わしくなる。このような場合であっても、本実施例によれば、禁止状態の許可ボタン２７の位置が分かり易くなる。
【００３９】
また、許可ボタン２７は、電灯ユニット２７ｃにより、禁止状態の場合に点滅し、許可状態の場合には、点滅に代えて点灯する。禁止状態と許可状態とで許可ボタン２７の発光動作を変更しているので、禁止状態であるのか許可状態であるのかをユーザは認識することができる。また、誤って許可ボタン２７を押してしまっても、禁止状態であるのか許可状態であるのかをユーザは認識することができる。
【００４０】
また、点滅は、強調レベルが高い。仮に操作パネル表示部２１の画面に点滅していない操作ボタンが設けられているときは、操作パネル表示部２１の外側の物理的な操作ボタン群２５だけでなく、その画面に表示された操作ボタンに対しても許可ボタン２７を区別させることができる。
【実施例２】
【００４１】
次に、図面を参照して本発明の実施例２を説明する。なお、実施例１と重複する説明は省略する。図５は、許可ボタン２７の電灯ユニット２７ｃの動作を説明するための図である。
【００４２】
実施例１では、許可ボタン２７は、電灯ユニット２７ｃにより、禁止状態の場合に点滅し、許可状態の場合に点灯していた。すなわち、禁止状態または許可状態に応じて発光動作を変更していた。この点、実施例２では、発光色を変更する。
【００４３】
本実施例において、図１に示す電灯ユニット２７ｃは、互いに異なる色を発光する複数（２つ以上）の電灯を備えている。例えば、電灯ユニット２７ｃは、青色を発光する第１の電灯と、緑色を発光する第２の電灯とを備えている。なお、発光色は、青色、緑色に限定されない。
【００４４】
図５のように、許可ボタン２７は、電灯ユニット２７ｃにより、禁止状態の場合に第１の色として青色で点灯し、許可状態の場合には、青色の点灯に代えて第２の色として緑色で点灯する。電灯制御回路２７ｂは、電灯ユニット２７ｃの第１の電灯によって青色を発光させ、電灯ユニット２７ｃの第２の電灯によって緑色を発光させる。なお、青色と緑色を逆に発光させてもよい。すなわち、許可ボタン２７は、禁止状態の場合に緑色で点灯し、許可状態の場合には、緑色の点灯に代えて青色で点灯する。また、第１の色または第２の色は、第１の電灯と第２の電灯の発光を組み合わせた例えば水色であってもよい。操作ボタン群２５は、電灯ユニットを備えていないので、消灯していると見なされる。
【００４５】
本実施例によれば、許可ボタン２７は、電灯ユニット２７ｃにより、禁止状態の場合に第１の色として青色で点灯する。禁止状態の場合に許可ボタン２７が点灯することで、許可ボタン２７の位置を強調してユーザに知らせることができる。また、許可ボタン２７は、電灯ユニット２７ｃにより、許可状態の場合には、青色の点灯に代えて第２の色として緑色で点灯する。禁止状態と許可状態とで許可ボタン２７の発光色を変更しているので、禁止状態であるのか許可状態であるのかをユーザは認識することができる。
【００４６】
なお、実施例１と実施例２を組み合わせてもよい。この場合、許可ボタン２７は、禁止状態の場合に青色で点滅し、許可状態の場合には、青色で点滅に代えて緑色で点灯する。
【実施例３】
【００４７】
次に、図面を参照して本発明の実施例３を説明する。なお、実施例１，２と重複する説明は省略する。図６は、操作パネル３１の一例を示す図である。図７は、点滅動作を説明するための図である。
【００４８】
実施例１では、禁止状態の場合に、電灯ユニット２７ｃにより許可ボタン２７が点滅していた。この点、実施例３では、禁止状態の場合に、タッチパネルの背面に設けられた表示部の画面に表示された許可ボタン３９が点滅する。すなわち、実施例３では、物理的ボタンでなく表示部の画面に表示される許可ボタン３９が点滅する。
【００４９】
図６を参照する。操作パネル３１は、操作パネル表示部３３とタッチパネル３５とを備えている。操作パネル表示部３３は、例えば液晶ディスプレイまたは有機ＥＬディスプレイで構成されている。操作パネル表示部３３は、本発明の表示部に相当する。操作パネル表示部３３の前面には、タッチパネル３５が設けられている。タッチパネル３５の背面に設けられた操作パネル表示部３３の画面には、操作ボタン群３７および許可ボタン３９が表示されている。タッチパネル３５越しに画面に表示された許可ボタン３９等の各ボタンをユーザが押す（タッチする）と、各ボタンの入力が行われる。なお、符号４１は、Ｘ線照射実行ボタンを示す。領域４３は、Ｘ線条件またはＸ線画像が表示される領域を示す。
【００５０】
実施例１と同様に、画面に表示された許可ボタン３９が禁止状態の場合に点滅する。具体的に説明する。例えば、Ｘ線撮影装置１が禁止状態であるとする。この場合に、主制御部１５は、操作パネル表示部３３の画面に表示された許可ボタン３９を、操作ボタン群３７が有する共通の色（例えば灰色）と異なる色（例えば青色）とこれ以外の色（例えば灰色）とを交互に表示させる。すなわち、図７のように、錠の絵文字の背景色が互いに異なる左右に示された許可ボタン３９が交互に表示される。これにより、許可ボタン３９が点滅表示される。
【００５１】
禁止状態において、点滅している許可ボタン３９が押されると、禁止状態から許可状態に変更される。主制御部１５によって、画面に表示された許可ボタン２７は、許可状態の場合に、点滅させずに上述の異なる色（例えば青色）で表示される。また、許可状態において、点滅していない許可ボタン３９が押されると、許可状態から禁止状態に変更される。
【００５２】
本実施例によれば、画面に表示された許可ボタン３９は、禁止状態の場合に点滅する。禁止状態の場合に許可ボタン３９が点滅することで、許可ボタン３９の位置を強調してユーザに知らせることができる。また、許可ボタン３９は、禁止状態の場合に、操作ボタン群が有する共通の色（例えば灰色）と異なる色（例えば青色）とこれ以外の色（例えば灰色）とを交互に表示させることで点滅する。一方、許可ボタン３９は、許可状態の場合に、点滅に代えて上述の共通の色と異なる色（例えば青色）で表示する。禁止状態と許可状態とで許可スイッチの表示方法を変更しているので、禁止状態であるのか許可状態であるのかをユーザは認識することができる。
【００５３】
また、点滅は、強調レベルが高い。操作パネル３１において、仮に操作パネル表示部３３の外側に点滅していない操作ボタンが設けられているときは、操作パネル表示部３３の画面に表示された操作ボタン群３７だけでなく、その外側の操作ボタンに対しても許可ボタン３９を区別させることができる。
【００５４】
なお、本実施例の変形例を説明する。まず、実施例２と同様に構成してもよい。すなわち、許可ボタン３９は、禁止状態の場合に、共通の色と異なる第１の色（例えば青色）で表示され、許可状態の場合に、前記共通の色と異なる第２の色（例えば緑色）で表示されてもよい（共に点滅なし）。また、実施例１と実施例２の組合せと同様に構成してもよい。すなわち、許可ボタン３９は、禁止状態の場合に共通の色と異なる第１の色（例えば青色）とこれ以外の色とを交互にさせることで点滅され、許可状態の場合に、前記共通の色と異なる第２の色（例えば緑色）で表示されてもよい。
【実施例４】
【００５５】
次に、図面を参照して本発明の実施例４を説明する。なお、実施例１〜３と重複する説明は省略する。
【００５６】
実施例３では、画面に表示された許可ボタン３９の点滅などの表示動作を変更していた。実施例４では、この実施例３に加え、あるいは単独で、次のように構成してもよい。禁止状態の場合、許可ボタン３９上またはその外周には、ユーザのガイドとなり、許可ボタン３９の位置を示す指標図形および指標文字の少なくとも一方が表示される。指標図形および指標文字は、タッチパネル３５の背面に設けられた操作パネル表示部３３の画面に表示される。
【００５７】
図８（ａ）〜図８（ｅ）は、指標図形または指標文字の一例を示す図である。図８（ａ）では、許可ボタン３９の外周に指標図形として矢印の形状５１が表示される。図８（ｂ）では、指標図形として手の形状５３が表示される。図８（ｃ）では、許可ボタン３９の外周に指標文字として「Ｘ線照射許可ボタン」などの文字５５が表示される。図８（ｄ）では、指標図形と指標文字の組合せとして、文字を書き入れるための枠線である吹き出し５７に「Ｘ線照射許可ボタン」などの文字が表示される。図８（ｅ）では、矢印の形状５１が静止したままでなく移動するように表示される。また、指標図形および指標文字は、移動表示に加え、あるいは単独で、点滅表示するようにしてもよい。
【００５８】
本実施例によれば、禁止状態の場合、操作パネル表示部３３の画面に表示された許可ボタン３９上またはその外周には、許可ボタン３９の位置を示す指標図形または指標文字が表示される。禁止状態の場合に許可ボタン３９上またはその外周に、許可ボタン３９の位置を示す指標図形または指標文字が表示されることで、許可ボタン３９の位置を強調してユーザに知らせることができる。
【００５９】
なお、許可状態の場合、指標図形または指標文字は、表示させないようにしてもよい。また、これに代えて、指標図形等は、色を変更するようにしてもよい。また、禁止状態の場合に指標図形等が移動しておれば、許可状態の場合に指標図形等は静止していてもよい。また、禁止状態の場合に指標図形等が点滅しておれば、許可状態の場合に指標図形等は点滅なしあってもよい。
【００６０】
本発明は、上記実施形態に限られることはなく、下記のように変形実施することができる。
【００６１】
（１）上述した実施例１，２では、電灯ユニット２７ｃは、１つの電灯を備えていたが、電灯は１つに限定されない。すなわち、電灯ユニット２７ｃは、少なくとも１つの電灯を備えていてもよい。例えば、電灯ユニット２７ｃは、２つの電灯を備えているとする。禁止状態の場合、第１の電灯を点滅させると共に、第２の電灯を消灯させてもよい。また、許可状態の場合、第１の電灯を消灯させると共に、第２の電灯を点灯させてもよい。また、例えば、禁止状態の場合、２つの電灯を共に同期して点滅させ、許可状態の場合、２つの電灯を共に点灯させてもよい。
【００６２】
（２）上述した実施例１，２および変形例１では、許可ボタン２７は、禁止状態の場合に点滅し、許可状態の場合に点灯していた。この点、点滅と点灯の動作が逆であってもよい。すなわち、許可ボタン２７は、禁止状態の場合に点灯し、許可状態の場合には、点灯に代えて点滅する。禁止状態の場合に許可ボタン２７が点灯することで、許可ボタン２７の位置を強調してユーザに知らせることができる。また、禁止状態と許可状態とで許可スイッチの発光動作を変更しているので、禁止状態であるのか許可状態であるのかをユーザは認識することができる。
【００６３】
（３）上述した実施例１，２および変形例１では、許可ボタン２７は、禁止状態の場合に点滅し、許可状態の場合に点灯していた。例えば、許可ボタン２７は、禁止状態および許可状態の両方とも点滅および点灯のいずれか一方で動作させてもよい。これにより、禁止状態の場合に、許可ボタン２７の位置が分かり易くなる効果は得られる。しかしながら、禁止状態であるか許可状態であるかのユーザが認識することができなくなる。
【００６４】
（４）上述した実施例１では、許可ボタン２７は、操作ボタン群２５が有する共通の視覚的特徴と異なる視覚的特徴として、例えば電灯ユニット２７ｃにより点滅させていた。この点、許可ボタン２７は、操作ボタン群２５が有する共通の視覚的特徴（例えば白色）と異なる視覚的特徴として例えば青色の塗料で着色されていてもよい。
【００６５】
（５）上述した実施例１，２および各変形例では、禁止状態の場合に、許可ボタン２７が例えば点滅していた。これにより、許可ボタン２７を誤って押してしまう押し間違い（誤操作）を抑制する効果も有する。このような許可ボタン２７の押し間違いを抑制するために、許可ボタン２７には、許可ボタン２７の前面を扉のように開閉する透明のカバー部材が設けられていてもよい。また、複数（例えば２つ）の許可ボタン２７を備え、これらを同時に押下したときに、禁止状態と許可状態とを変更させてもよい。また、許可ボタン２７をダブルクリックのように２回押し、あるいは長押しすることで、禁止状態と許可状態とを変更させてもよい。
【００６６】
（６）上述した各実施例および各変形例では、許可ボタン２７，３９は、許可状態の場合に、点灯していた。この点、許可ボタン２７，３９は、許可状態の場合に、消灯していてもよい。この場合であっても、禁止状態の場合に、許可ボタン２７，３９は、点滅しているので、禁止状態の場合に、許可ボタン２７，３９の位置を強調してユーザに知らせることができる。なお、実施例３において、消灯とは、操作ボタン群３７が有する共通の色（例えば灰色）で表示されていることを示し、点灯とは、共通の色（例えば灰色）と異なる色（例えば青色または緑色）で表示されていることを示す。
【００６７】
（７）上述した各実施例および各変形例では、操作ボタン群２５，３７および許可ボタン２７，３９は、ボタン（ボタンスイッチ）であったが、例えば、スライド式のスイッチ、またはトグルスイッチなどの他のスイッチであってもよい。
【符号の説明】
【００６８】
１        …  Ｘ線撮影装置
２        …  Ｘ線管
４        …  Ｘ線検出器
１５      …  主制御部
１７，３１  …  操作パネル
２１，３３  …  操作パネル表示部
２３，３５  …  タッチパネル
２５，３７  …  操作ボタン群
２７，３９  …  Ｘ線照射許可ボタン（許可ボタン）
２７ａ    …  許可ボタン本体
２７ｂ    …  電灯制御回路
２７ｃ    …  電灯ユニット
２９，４１  …  Ｘ線照射実行ボタン（実行ボタン）
【図１】
2018183349.tif 000003
【図２】
2018183349.tif 000004
【図３】
2018183349.tif 000005
【図４】
2018183349.tif 000006
【図５】
2018183349.tif 000007
【図６】
2018183349.tif 000008
【図７】
2018183349.tif 000009
【図８】
2018183349.tif 000010